(57)【要約】【課題】冷蔵庫において、加熱ヒータ取付部またはその近傍空間領域の霜付（露付）防止を図ると共に、加熱ヒータの温度幅変動幅を小さくして、むだな発熱を防止し、省エネルギーの上で有利にする。【解決手段】冷蔵庫の加熱ヒータの通電率を、冷却の要因となる電動ダンパの開閉状態により制御して、加熱ヒータの通電率を可変にする。その構造により、電動ダンパを「開」にしたときに冷風が吹き付けて、温度が低下する回転仕切ヒータと冷蔵室底部ヒータは、電動ダンパを「開」にしたときに、通電率をあげ、電動ダンパを「閉」にしたときには、通電率を下げる。逆に、電動ダンパを「閉」にしたときに送風機を介して冷風が吹き付けて、温度が低下する給水パイプヒータと野菜室ヒータは、電動ダンパを「開」にしたときに、通電率をあげ、電動ダンパを「閉」にしたときには、通電率を下げる。【選択図】図１０
2008304165.tif 000002
【特許請求の範囲】
【請求項１】
電動ダンパの開閉をコントロールすることにより、冷気の循環を調節する冷蔵庫において、
通電率を変えることにより、発熱量を可変制御する加熱ヒータを有し、
前記電動ダンパの開閉の状態によって、前記加熱ヒータの取付部またはその近傍の温度が上昇するときに、前記加熱ヒータの通電率を増加させ、前記加熱ヒータの取付部またはその近傍の温度が下降するときに、前記加熱ヒータの通電率を減少させることを特徴とする冷蔵庫。
【請求項２】
前記加熱ヒータの取付部が、冷蔵室扉が観音開きであるときの２枚の扉の合わせ部に設置される回転仕切、冷蔵室底部の仕切断熱、野菜室の冷凍室との仕切壁、自動製氷機の給水パイプのいずれかであることを特徴とする請求項１記載の冷蔵庫。
【請求項３】
前記電動ダンパが「開」の状態になっているときに、冷蔵室に冷気が送られる構造の冷蔵庫であって、
前記加熱ヒータの取付部が、冷蔵室扉が観音開きであるときの２枚の扉の合わせ部に設置される回転仕切、冷蔵室底部の仕切断熱の場合に、
前記電動ダンパが「開」の状態になっているときには、前記加熱ヒータの通電率を大きくする方向に変化させ、
前記電動ダンパが「閉」の状態になっているときには、前記加熱ヒータの通電率を、前記電動ダンパが「開」の状態になっているときよりも小さくする方向に変化させることを特徴とする請求項２記載の冷蔵庫。
【請求項４】
前記電動ダンパが「閉」の状態になっているときには、冷凍室に、より多くの冷気が送られる構造の冷蔵庫であって、
前記加熱ヒータの取付部が、自動製氷機の給水パイプ、野菜室と冷凍室との仕切壁の場合に、
前記電動ダンパが「閉」の状態になっているときには、前記加熱ヒータの通電率を大きくする方向に変化させ、
前記電動ダンパが「開」の状態になっているときには、前記加熱ヒータの通電率を、前記電動ダンパが「閉」の状態になっているときよりも小さくする方向に変化させることを特徴とする請求項２記載の冷蔵庫。
【請求項５】
前記電動ダンパが「閉」の状態になっているときには、冷凍室に、送風機を介して、より多くの冷気が送られる構造の冷蔵庫であって、
前記加熱ヒータの取付部が、自動製氷機の給水パイプ、野菜室と冷凍室との仕切壁の場合に、
前記電動ダンパが「閉」の状態になっているときであり、かつ、前記送風機が運転中のときには、前記加熱ヒータの通電率を大きくする方向に変化させ、
前記電動ダンパが「閉」の状態になっているときであり、かつ、前記送風機が停止中のときには、前記送風機が運転中のときにより、前記加熱ヒータの通電率を小さくする方向に変化させることを特徴とする請求項２記載の冷蔵庫。
【発明の詳細な説明】
【技術分野】
【０００１】
本発明は、冷蔵庫に係り、冷蔵庫庫内に霜付（露付）や凍結防止のために用いられる加熱ヒータと冷気を供給するための電動ダンパを具え、加熱ヒータの取り付け部の近傍を所定温度に保持することにより、霜付（露付）を防止し、加熱ヒータのむだな発熱を防止するのに好適な冷蔵庫に関する。
【背景技術】
【０００２】
従来、冷蔵庫の霜付き、あるいは、露付きを解消するために、加熱ヒータへの通電率を可変にして、発熱量を効率良く制御する方法が知られている。この加熱ヒータの制御方法の従来例は、例えば、特許文献１に示されるように、冷蔵庫に外気温を検出するセンサーを設け、センサーの出力に応じて、加熱ヒータの発熱量を可変にする。すなわち、外気温が高い場合には、着霜防止ヒータの発熱量を低減し、余分に発熱させないようにしている。また、この特許文献１では、貯蔵室の設定温度が高くなった場合に、ヒータの発熱量を増大させ、貯蔵室の設定温度が低くなった場合には、ヒータの発熱量を低減する。
【０００３】
さらに、例えば、特許文献２に示されるように、冷蔵室ダンパが閉じている間、チルド室の冷気による影響で冷蔵室温度の冷えすぎを防止するように、冷蔵室ダンパの閉時間をカウントし、一定時間経過した場合に保温ヒータを通電するもの等が知られている。
【０００４】
【特許文献１】特開２００５−２８３１１９号公報
【特許文献２】特開平２−９３２７２号公報
【発明の開示】
【発明が解決しようとする課題】
【０００５】
近年の冷蔵庫は、その使い勝手を考慮して、複数の区画された室、例えば、野菜室や冷蔵室等にて形成される冷蔵温度室と、製氷皿を有する製氷室や冷凍室等にて形成される冷凍温度室とを備えるようにする。そして、それらの冷蔵温度室や冷凍温度室とは区画して形成された冷却室に設置された冷却器により生成した冷気を送風機により送風して、ダンパ装置により冷気供給制御を行い、冷蔵温度室と冷凍温度室とに、その冷気を分流循環させて、その冷蔵庫内の冷蔵温度室と冷凍温度室を所定の温度に冷却するものが一般化されている。
【０００６】
ところが、このような構造を有する冷蔵庫では、冷気が送風機にて強制循環されている場合、ダンパが「開」の状態では、冷蔵室内に供給される冷気量が多く、冷蔵室内に位置する加熱ヒータが取付られる仕切り壁に当たる冷気が増大するので、冷蔵室内に位置する加熱ヒータ取付部またはその近傍空間領域の温度が大きく低下してしまう。
【０００７】
一般に、冷蔵室底部の仕切り断熱壁は、冷蔵室の冷気戻り口近辺に位置している。そのため、冷気がその冷気戻り口に引張れられて循環するので、ダンパが「開」の状態では、冷蔵室底部の仕切り断熱壁に通過する冷気が多く、温度が大きく低下する。換言すれば、冷蔵室底部の仕切り断熱壁の温度に直接的に影響するのは、ダンパ装置により供給されて冷蔵室内に循環される冷気量という冷却の要因である。これによって冷蔵室底部の仕切り断熱壁の温度が低下したり、凍結したりする。
【０００８】
また、冷蔵室扉が観音開きタイプの場合に２枚の扉の合わせ部に設置される回転仕切り部においても、上記の冷蔵室底部の仕切り断熱壁と同様のことが言えて、ダンパ装置により供給されて循環する冷気が多いほど、回転仕切り部の温度が低下する。これによって回転仕切り部に霜付や露付が発生する。
【０００９】
また、冷気が送風機にて強制循環されている間にダンパが「閉」となった状態では、冷蔵温度室内に供給される冷気量が減少する。また、これまで冷蔵温度室内へ供給される冷気が、冷凍温度室に集中して送風されるので、逆に、前記冷凍温度室内に位置する加熱ヒータが取付られる自動製氷機の給水パイプに当たる冷気が増大するので、温度が大きく低下してしまう。
【００１０】
例えば、冷凍室の自動製氷機の給水パイプ先端部は、冷気吐出口近辺に位置し、送風された冷気量に直接的に影響を受けている。冷気が送風機にて強制循環されている場合に、ダンパが「開」の状態では、冷気が冷蔵室に分岐して循環される。そのため、給水パイプ先端に当たる冷気の量が少なく、温度低下への影響が少ない。しかし、ダンパが「閉」となった時には、給水パイプ先端部に送風された冷気が増大するので、給水パイプ先端部の温度が大きく低下してしまい、給水パイプが凍結する恐れが生じる。
【００１１】
さらに、野菜室と冷凍室を区画する仕切壁の場合については、野菜室に面する部分の仕切壁は、冷凍室からの温度影響によって冷やされるため、冷凍室の温度低下が激しいとき、すなわち、送風機が運転しており、かつ、ダンパが閉じているときには、野菜室仕切り断熱壁の温度が大きく低下してしまい、野菜室に保存されている食材の凍結する恐れが生じる。
【００１２】
したがって、上述した加熱ヒータ取付部またはその近傍空間領域の霜付（露付）防止精度を向上させるためには、そこに送られる冷気を調節し、それらの場所の温度を一定に必要性が生じる。
【００１３】
しかしながら、前述した特許文献１、特許文献２の記載された従来技術にはその具体的対処方法が提示されていない。
【００１４】
従来技術の特許文献１では、所定の発熱量を持つ加熱ヒータの発熱量を外気温度に応じて可変させるようにしている。
【００１５】
しかしながら、外気温度変動と庫内温度は必ずしも連動するものでなく、ダンパ装置により供給されて循環する冷気が多いときにおける加熱ヒータ取付部またはその近傍空間領域の温度低下に対する具体的対処方法の提示がない。
【００１６】
また、従来技術の特許文献２では、チルド室の冷気による影響を考慮して、冷蔵室ダンパの「閉」の時間が一定時間経過したら保温ヒータを通電するように制御をしているが、ダンパが「閉」の状態では、冷蔵温度室を循環する冷気の量も減少するので、チルド室からの冷気の影響は、冷蔵室ダンパ装置が「開」となる時の循環冷気の量より少ない。換言すれば、ダンパが「閉」の状態よりダンパが「開」の状態の方がむしろ冷気の影響を受け、冷蔵温度室に位置する加熱ヒータ取付部またはその近傍空間領域の温度が低下し、霜付（露付）の恐れが生じる。
【００１７】
上述した従来技術では、冷蔵温度室や冷凍温度室を循環する冷気量に対して前記加熱ヒータの通電率を一定に設定している。
【００１８】
しかしながら、冷気の循環量が少ないときでは、加熱ヒータが過剰な発熱を起こし、加熱ヒータの温度変動幅が大きくなる恐れがある。その結果、冷蔵庫の熱負荷が増え、冷蔵庫の冷却性能を低下させ、ひいては電力消費を増大させるという問題点があった。
【００１９】
本発明は、上記問題点を解決するためになされたもので、その目的は、加熱ヒータ取付部またその近傍空間領域の霜付（露付）防止を図ると共に、加熱ヒータの温度幅変動幅を小さくして、むだな発熱を防止し、省エネルギーの上で有利な冷蔵庫を提供することにある。
【課題を解決するための手段】
【００２０】
本発明に係る冷蔵庫の構成は、電動ダンパの開閉をコントロールすることにより、冷気の循環を調節する冷蔵庫において、通電率を変えることにより、発熱量を可変制御する加熱ヒータを有し、前記電動ダンパの開閉の状態によって、前記加熱ヒータの取付部またはその近傍の温度が上昇するときに、前記加熱ヒータの通電率を増加させ、前記加熱ヒータの取付部またはその近傍の温度が下降するときに、前記加熱ヒータの通電率を減少させるようにしたものである。
【００２１】
より詳しくは、上記冷蔵庫において、前記加熱ヒータの取付部が、冷蔵室扉が観音開きであるときの２枚の扉の合わせ部に設置される回転仕切、冷蔵室底部の仕切断熱、野菜室の冷凍室との仕切壁、自動製氷機の給水パイプのいずれかであるようにしたものである。
【００２２】
また詳しくは、上記冷蔵庫において、前記電動ダンパが「開」の状態になっているときに、冷蔵室に冷気が送られる構造の冷蔵庫であって、前記加熱ヒータの取付部が、冷蔵室扉が観音開きであるときの２枚の扉の合わせ部に設置される回転仕切、冷蔵室底部の仕切断熱の場合に、前記電動ダンパが「開」の状態になっているときには、前記加熱ヒータの通電率を大きくする方向に変化させ、前記電動ダンパが「閉」の状態になっているときには、前記加熱ヒータの通電率を、前記電動ダンパが「開」の状態になっているときよりも小さくする方向に変化させるようにしたものである。
【００２３】
また詳しくは、上記冷蔵庫において、前記電動ダンパが「閉」の状態になっているときには、冷凍室に、より多くの冷気が送られる構造の冷蔵庫であって、前記加熱ヒータの取付部が、自動製氷機の給水パイプ、野菜室と冷凍室との仕切壁の場合に、前記電動ダンパが「閉」の状態になっているときには、前記加熱ヒータの通電率を大きくする方向に変化させ、前記電動ダンパが「開」の状態になっているときには、前記加熱ヒータの通電率を、前記電動ダンパが「閉」の状態になっているときよりも小さくする方向に変化させるようにしたものである。
【００２４】
さらに詳しくは、上記冷蔵庫において、前記電動ダンパが「閉」の状態になっているときには、冷凍室に、送風機を介して、より多くの冷気が送られる構造の冷蔵庫であって、前記加熱ヒータの取付部が、自動製氷機の給水パイプ、野菜室と冷凍室との仕切壁の場合に、前記電動ダンパが「閉」の状態になっているときであり、かつ、前記送風機が運転中のときには、前記加熱ヒータの通電率を大きくする方向に変化させ、前記電動ダンパが「閉」の状態になっているときであり、かつ、前記送風機が停止中のときには、前記送風機が運転中のときにより、前記加熱ヒータの通電率を小さくする方向に変化させるようにしたものである。
【発明の効果】
【００２５】
本発明によれば、加熱ヒータ取付部またその近傍空間領域の霜付（露付）防止を図ると共に、加熱ヒータの温度幅変動幅を小さくして、むだな発熱を防止し、省エネルギーの上で有利な冷蔵庫を提供することができる。
【発明を実施するための最良の形態】
【００２６】
以下、本発明に係る各実施形態を、図１ないし図１３を用いて説明する。
【００２７】
〔実施形態１〕
以下、本発明に係る第一の実施形態を、図１ないし図１１を用いて説明する。
先ず、図１ないし図３を用いて本発明の第一の実施形態に係る冷蔵庫の全体構造を説明する。
図１は、本発明の第一の実施形態に係る冷蔵庫の正面図である。
図２は、図１の冷蔵庫の正面図から扉を除いた図である。
図３は、図１の縦断面図である。
【００２８】
図２に示されるように、冷蔵庫本体１は、内部に上から冷蔵室２、冷凍室３、野菜室４を有している。そして、図２および図３に示されるように、冷凍室３内には製氷機が設置された製氷室３ａ、急速冷凍室３ｂ、第二の冷凍室３ｃを有している。
【００２９】
図１に示される観音開き式の冷蔵室扉５ａ、５ｂは、冷蔵室２の前面を閉塞し、左右の扉が中央から両側に開くように造られている。この観音開き式の冷蔵室扉５ｂは、回転自在に取り付けられた回転仕切６を有しており扉５ａ側のガスケット受面を構成している。
【００３０】
製氷室扉７は、製氷室３ａの前面開口部を閉塞している。急速冷凍室扉８は、急速冷凍室３ｂを閉塞している。第二の冷凍室扉９は、第二の冷凍室３ｃを閉塞している。そして、野菜室扉１０は、野菜室４の前面開口部を閉塞している。
【００３１】
これらの製氷室扉７、急速冷凍室扉８、第二の冷凍室扉９、野菜室扉１０は、引出し式の扉であり、それらの扉にそれぞれ取り付けられた製氷室３ａ、急速冷凍室３ｂ、冷凍室３ｃ、野菜室４を構成する容器を扉の引出しに伴って庫外に引出せるよう構成している。
【００３２】
なお、冷蔵庫本体１は、図３に示されるように、外箱１ａと内箱１ｂが作る空間に真空断熱材（図示せず）および発泡断熱材１ｃを充填し構成してなるものである。
【００３３】
図２に示される仕切断熱１１は、冷蔵室２と冷凍室３間を仕切り、冷蔵室２と冷凍室３間を熱的に隔離する断熱部材である。この仕切断熱１１には、後述する冷却器室で作られた冷気を風量制御ダンパ１４を介して冷蔵室２に供給するダクト１２の他、戻りダクト１３等が設けられている。
【００３４】
はり状仕切１９は、冷凍室３間を仕切る部材である。このはり状仕切１９は、冷凍室３を上下に区画するものでなく製氷室扉７（急速冷凍室扉８）、第二の冷凍室扉９のシール材（図示せず）を受ける受面を形成するものである。
【００３５】
そして、第二のはり状仕切２０は、図２に示されるように、このはり状仕切１９に一端がかかり他方端が仕切断熱１１にかかっていて、これもまた、製氷室扉７、急速冷凍室扉８の隣り合う一辺のシール材を受ける受面を形成するものである。
【００３６】
卵収納容器２１は、冷蔵庫２の底面に設けられた鶏卵を収納するための専用の容器である。卵収納容器が、冷蔵室扉の裏面に設けられているタイプの冷蔵庫もあるが、ここでは、冷蔵室２の底面（仕切断熱１１の上面）に設けている。これは、扉開閉の毎に卵２１ａに衝撃が加わるのを避けるためである。この卵収納容器２１には、例えば、まとめ買いした卵２１ａを２０〜３０個収納することができるものである。
【００３７】
第二の仕切壁２２は、冷凍室３と野菜室４間を仕切る部材である。この第二の仕切壁２２は、冷凍室３と野菜室４間を温度的に区画する断熱効果を持つ仕切壁である。すなわち、冷凍室３は−１８℃、野菜室４は３〜５℃に保持されるため、第二の仕切壁２２は、これに耐える断熱効果を備えているものである。
【００３８】
図３に示される冷気吹き出し口２３は、野菜室４へ冷気を吹き出すための開口であり、冷気戻しダクト２４は、野菜室４内に送られてきた冷気を戻すためのダクトである。
【００３９】
通常、野菜室４は、冷蔵室２を冷却した冷気で冷却され、冷却後の冷気は冷気戻しダクト２４を通して、冷却器２５に戻される冷気循環により所定の温度に保持されている。なお、野菜室４を冷却するため、冷却器室２５で作られた冷気を風量制御ダンパ１４を介して直接送り込む方式を採用した冷蔵庫も市販されている。
【００４０】
図３に示される冷却器室区画板３１は、冷気強制循環ファン２９（以下、「送風機」とも呼ぶ）のマウスリング部を形成し、かつ、区画板２６に形成された冷気吐出口２６ａまで、冷気をガイドする役目を果たすものである。自動アイスメーカ装置（自動製氷装置）３２は、製氷を自動的におこなう装置であり、図３に示されるように、自動アイスメーカユニット３３、製氷された氷を貯める引き出し容器３４、それに冷蔵室２内に設けられた給水タンク３５、および、給水タンク３５内の水を製氷皿３３ａに供給する給水パイプ３６等より構成されている。
【００４１】
また、自動アイスメーカユニット３３は、製氷皿３３ａの他、その製氷皿３３ａにひねり動作を加え、製氷皿３３ａで製氷された氷を落下させる駆動モータ３３ｂを備えている。
【００４２】
以上説明してきた冷蔵室２に位置する回転仕切６、卵収納容器２１、それに冷凍室３に位置する給水パイプ先端、さらには、野菜室４に位置する第二の仕切２２壁等はいずれも冷蔵庫自体の持つ構成上の問題より、霜付（あるいは露付）対策が必要となる。
【００４３】
このため、従来の冷蔵庫においても、この部分（領域）には、霜付（露付）を防止する加熱ヒータが設けられている。
【００４４】
すなわち、回転仕切６の場合、他の冷蔵庫開口縁と異なり冷凍サイクルの高温パイプを霜付（露付）に利用できないのでこの代わりに加熱ヒータを設けるものであり、また、卵収納容器２１が設けられる位置（空間領域）は冷蔵室に吹き出された冷気が一時溜り、この空間領域が冷蔵室で一番冷える所となる他、冷凍室３の熱影響を受けやすい所となる。したがって、ともすると卵収納容器２１内の卵２１ａを凍結させてしまう心配がある。これを防止するために、この部分にも加熱ヒータを設けるのが常套手段として用いられている。
【００４５】
さらには、自動アイスメーカ装置３２を構成する給水パイプ３６先端は冷蔵室内の給水タンク３５より製氷皿３３ａに水を供給する役目を果たすものであるが、この給水パイプ３６先端は、図にも示す如く冷凍室３に臨んでいる。そのため、もし、水滴が、このパイプ３６先端に残るようなことがあると、その残った水滴が氷となり給水する水の方向を変えてしまうか、あるいは、水の流れをストップさせてしまう心配があるため、ここにも加熱ヒータを設けている。
【００４６】
また、第二の仕切壁は冷凍室３と野菜室４を熱的に区画するものであるが、スペース効率を考えた時、無制限にこの第二の仕切壁２２の断熱厚さを厚くすることはできない。（これは、仕切断熱１１に付いても云えることである。）
したがって、これを補い野菜室４内の野菜が凍結するのを防止する必要が出てくる。これを対策するためにも加熱ヒータが用いられている。
【００４７】
以上、各所に設けられている加熱ヒータは、従来外気温度検知センサ６１あるいは、冷凍室温度検知センサ６４、冷蔵室温度検知センサ６２等の検知温度に基づいて発熱をおこなったり、停止したりしている。
【００４８】
次に、図４ないし図８を用いて本発明の第一の実施形態に係る冷蔵庫の各部の構造の詳細、特に、各部の加熱ヒータの配設について説明する。
図４は、図１のＡ−Ａ断面図である。
図５は、図３の冷蔵室２の要部拡大説明図である。
図６は、自動アイスメーカ装置３２の給水パイプ３６を加熱する加熱ヒータを説明する図である。
図７は、野菜室４を加熱する加熱ヒータを説明する図である。
図８は、図７と異なる位置に設けられた野菜室を加熱する加熱ヒータを説明する図である。
【００４９】
図４には、加熱ヒ−タ３８を備えた回転仕切６が示されている。ここで言う回転仕切６とは、図からも判るように観音開きの冷蔵室扉５の右側扉５ｂにヒンジ３９を中心に回動するよう取り付けられたもので、右側扉５ｂのシール用ガスケット４０ａおよび左側扉５ａのシール用ガスケット４０ｂの受面を形成し冷蔵室を庫外と隔てている。
【００５０】
そして、この回転仕切６は、右側扉５ｂを開くときには、ヒンジ３９を中心に右側扉５ｂに破線の如く回動させ、扉を閉めると実線の如く、閉まるように構成されている。そして、この回転仕切６には露付を防止するために、その合わせ部に加熱ヒータ３８が設けられている（以下、この加熱ヒータを、「回転仕切ヒータ」という）。
【００５１】
図５に示される加熱ヒータ４３は、卵収納容器２１底部を加熱するヒータである。この加熱ヒータ４３は、仕切断熱１１内に取り付けられ、仕切断熱１１の上面に置かれた卵収納容器２１の底部を加熱する構成とされて、卵収納容器２１内の卵２１ａの過冷却を防止する（以下、この加熱ヒータを、「冷蔵室底部ヒータ」という）。
【００５２】
図６に示される加熱ヒータ４５は、給水パイプ３６を加熱するためのヒータである。この加熱ヒータ４５は、先にも記述した如く給水パイプ３６中で水が凍結するのを防止するためのものであるから、給水パイプ３６（先端を含む）を加熱して、常時０℃以上に保持するようにする（以下、この加熱ヒータを、「給水パイプヒータ」という）。
【００５３】
図７に示される加熱ヒータ４６は、野菜室４を加熱するためのヒータである。この加熱ヒータ４６は、先にも記述した如く野菜室内の野菜が凍結するのを防止するためのものであり、第二の仕切壁２２の野菜室４側に近づけて設けられている（以下、この加熱ヒータを、「野菜室ヒータ」という）。
【００５４】
なお、図７の圧縮機２７は、冷蔵庫本体１の底部に位置し、冷媒を圧縮して冷媒を循環させるポンプである。
【００５５】
野菜室４は、送風された冷蔵用冷気の一部から分流され、冷却しているが、冷凍室３に隣り合わせて設けられているため、冷凍室３の熱影響を受け易く、野菜室内の野菜が凍結してしまうことがある。そのような過冷却を防止するために設けられるのがこの野菜室ヒータ４６である。
【００５６】
なお、図７中、野菜室ヒータ４６の取り付け位置を破線の位置に変更しても同じ効果は得られる。さらに、図８に示す如く冷凍室３と野菜室４の位置関係を逆転させても図７により説明した内容は同じである。
【００５７】
ここで、図３も参照しながら上記構成における冷蔵庫の冷却動作について説明する。
【００５８】
先ず、冷却器により生成された冷気は、冷気強制循環ファン２９の運転により、冷却器室２５から冷凍用冷気ダクト５２内に送風される。そして、冷凍用冷気ダクト５２内に送風された冷気の一部は、製氷皿３３ａの製氷を促進するために設けられた複数の吐出口２６ｂや冷凍室３を冷却するために設けられた複数の吐出口２６ａより冷凍室３内に吐出され、その冷凍室３内を所定の温度に冷却したのち、戻り口４１より冷却器室２５に戻る。
【００５９】
そして、上記冷凍用冷気ダクト５２内に送風された冷気の一部は、冷蔵用冷気ダクト５３に分流されて、冷気供給ダクト１２に送風される。このとき、冷気通過量は、電動ダンパ１４により制御できるようになっている。電動ダンパ１４は、一定の電圧をかけることにより開閉する弁である。
【００６０】
なお、冷気供給ダクト１２より冷蔵室２側に供給された冷気は、内箱１ｂと化粧を兼ねた仕切板１５とが作る冷気通路１６に入り吹出口１７より棚板１８上に設置された食品に向け吹き出され、冷蔵室２を冷却した冷気は、戻り通路１３より冷却室に戻される。
【００６１】
そして、上記戻り通路１３内に送風された冷気の一部は、図３に示すように、野菜室４に分流され、吐出口２３より野菜室４内に吐出され、その野菜室４内を所定の温度に冷却したのち、冷凍室３と野菜室４とを区画する仕切壁２２に設けられた戻り口２４を経て冷却器室２５に戻る。
【００６２】
上記冷却動作を制御する一例としては、例えば、冷凍室３内の温度を検出できるように構成された庫内温度センサ６４の検出値によって、圧縮機２７と冷気強制循環ファン２９の運転制御がおこなわれ、その冷凍室３内の温度を所定の温度に冷却するように構成すればよい。
【００６３】
また、例えば、冷蔵室２内の温度を検出できるように構成された庫内温度センサ６２の検出値によって、電動ダンパ１４の開閉をおこない、冷気通過量を制御することにより、冷蔵室２内の温度を所定の温度に冷却するように構成してある。
【００６４】
このとき、この電動ダンパ１４が「開」になると、冷蔵温度室に冷気が供給される。吹き出された冷気が上述の回転仕切６に当たり、回転仕切６が冷却されて温度が低下するので、露付の恐れが生じる。また、冷蔵室に吹き出された冷気が卵収納容器２１が設けられる位置（空間領域）に一時溜り、この空間領域が冷蔵室で一番冷える所となるので、卵収納容器２１内の卵２１ａを凍結させてしまう恐れがある。
【００６５】
一方、電動ダンパ１４が閉じると、冷蔵室２への冷気供給が停止され、回転仕切６、卵収納容器２１底部の温度が上がり、霜付（露付）の心配がなくなる。
【００６６】
しかしながら、電動ダンパ１４が「閉」状態であり、かつ、冷気強制循環ファン２９の運転期間中においては、前述した冷蔵用冷気通路１２内に流れるべき冷気が止められるので、前述した冷凍用冷気ダクト５２内の内圧が高くなり、その結果として、前述した吐出口２６ａ、２６ｂより吐出される冷気量が増加するので、前述した給水パイプ３６は、より低温度となってしまい、給水パイプ３６が凍結する恐れが、さらに強まる。また、このとき、冷凍室内温度も大きく低下し、冷凍室３に隣り合わせて設けられている野菜室４に影響をおよぼし、野菜室４内の温度も低下する。これにより、野菜室４内の野菜が凍結する恐れが生じる。
【００６７】
換言すれば、上述の加熱ヒータ取付部またはその近傍空間領域の温度に直接的に影響する冷却の要因である冷気供給量によって、加熱ヒータ取付部またはその近傍空間領域の霜付（露付）になる恐れが生じる。
【００６８】
したがって、本実施形態の冷蔵庫は、後述するように、上述した加熱ヒータ取付部の温度に直接的に影響を及ぼす冷却の要因であるダンパ装置の開閉状態によって、加熱ヒータの通電率を可変にすることにより、加熱ヒータ取付部またはその近傍空間領域の霜付（露付）防止を図れるように構成したものである。
【００６９】
次に、図９ないし図１１を用いて、上記加熱ヒータの制御について説明する。
図９は、ヒータ制御装置の機能を示すブロック図である。
図１０は、本発明の第一の実施形態に係る加熱ヒータの制御処理を説明するためのフローチャートである。
図１１は、本発明の第一の実施形態に係る電動ダンパ１４と加熱ヒータの状態を説明するタイミングチャートである。
【００７０】
ヒータ制御装置は、予め決められたプログラムに従い動作するマイクロコンピュータを有し、第一の入力として、センサ検出温度（外気温度、冷蔵室温度、野菜室温度、冷凍室温度）があり、加熱ヒータの通電開始／停止を制御する。それに加えて、第二の入力としてダンパ開／閉状態や送風機の運転／停止状態の検出により、加熱ヒータの通電率制御をおこない、加熱ヒータに制御信号を出力する。
【００７１】
以下、加熱ヒータが冷蔵室に位置する冷蔵室底部ヒータ４３、回転仕切ヒータ３８の場合のヒータ制御動作を図１０に示したフローチャートを参照しながら説明する。
【００７２】
先ず、センサ検出温度がヒータ作動温度か否かを判定し（Ｓ０１）、作動温度外ならば加熱ヒータ出力をＯＦＦにする（Ｓ０２）。作動温度内ならば加熱ヒータをＯＮにして通電させ（Ｓ０３）、電動ダンパ１４が「開」か「閉」かを判定する（Ｓ０４）。電動ダンパ１４が「開」ならばヒータ通電率を増加させ（Ｓ０５）、電動ダンパ１４が「閉」であれば、ヒータ通電率を少ない方向に減少させる（Ｓ０６）。
【００７３】
ここで、ヒータ通電率とは、一定の時間内に加熱ヒータに通電する時間の割合である。例えば、１分＝６０秒内に、５４秒通電するときには、ヒータ通電率は、９０％になる。
【００７４】
図１１は、本発明の第一の実施形態の電動ダンパ１４と加熱ヒータの状態を示しており、電動ダンパ１４が「開」となるときに冷却影響を受ける回転仕切ヒータ３８、冷蔵室底部ヒータ４３の通電率の対応関係を示している。
【００７５】
この図１１において、曲線Ｎは電動ダンパ１４の開閉状態を、縦軸の「開」、「閉」と横軸の経過時間で表示している。
【００７６】
点線の直線Ｑ、実線のパルス上線分Ｒは、回転仕切ヒータ３８、または、冷蔵室底部ヒータ４３の通電率を縦軸に、経過時間を横軸に表示しており、点線の直線Ｑは比較例としての従来例のものであり、実線のパルス上線分Ｒは、本実施形態におけるものである。すなわち、従来例では、通電率は、一定のｒｘ１であったが、本実施形態では、ｒ１３とｒ１２をとるように変化する。
【００７７】
そして、曲線Ｓ、Ｗ、Ｕは、回転仕切ヒータ３８、または、冷蔵室底部ヒータ４３の取付部の温度を縦軸に、経過時間を横軸に表示している。
【００７８】
なお、上記曲線や直線間の関係が簡明に表せるように、横軸の経過時間は、各曲線や直線とも同一単位にて表示している。
【００７９】
先ず、二点鎖線の曲線Ｕについて説明する。この曲線Ｕは、前述した回転仕切ヒータ３８、または、冷蔵室底部ヒータ４３の通電率を零とした場合のヒータ取付部の温度を表示している。
【００８０】
図に示す経過時間ｔ１１時点で、曲線Ｎで示すように電動ダンパ１４が閉じている状態であるとすると、前述したように、回転仕切部６、または、冷蔵室底部に吹き付けて供給する冷気がないので、これらの部分の温度は上昇する。そして、電動ダンパ１４が「閉」の期間中は、例えば、図のｔ１１からｔ１２の間（図のＢ区間）では、これらの加熱ヒータ取付部の温度は、部分曲線Ｕ１に示すように、ｋ１３からｋ１１（ｋ１１＞ｋ１３）まで上昇する。
【００８１】
そして、経過時間がｔ１２になると曲線Ｎで示すように電動ダンパ１４が「開」となるので、冷蔵室に冷気が供給され、回転仕切部６、または、冷蔵室底部に送風された冷風があたるので、これらの部分の温度が下がり始める。そして、電動ダンパ１４が開状態の間（図のＣ区間）は、前記加熱ヒータ取付部の温度は、部分曲線Ｕ２に示すように、ｋ１１からｋ１３（ｋ１１＞ｋ１３）まで降下する。
【００８２】
そして、経過時間がｔ１３になると曲線Ｎで示すように電動ダンパ１４が「閉」となるので、前述した部分曲線Ｕ１に示すように上昇し、以後上述した動作曲線を繰り返す。すなわち、回転仕切部６、または、冷蔵室底部は、電動ダンパ１４の「開」、「閉」状態によりその温度が変化し、例えば、部分曲線Ｕ２に示すような温度差（ｋ１１からｋ１３までの温度差）が生じる。
【００８３】
そして、上記温度、ｋ１１からｋ１３までの温度は、例えば、露点温度以下の温度であるため、回転仕切ヒータ３８の通電率を零とすると露付の恐れが生じることや、例えば、氷点温度以下の温度である場合、冷蔵庫底部加熱ヒータの通電率を零とすると卵収納容器２１内の卵を凍結させてしまう恐れが生じる
次に、点線の曲線Ｓについて説明する。この曲線Ｓは、従来例の冷蔵庫における回転仕切部６、または、冷蔵室底部の温度として表示したものであり、回転仕切ヒータ３８、または、冷蔵室底部ヒータ４３の通電率をほぼ一定にして、例えば、図の点線の直線Ｑに示すようにｒｘ１の通電率にして、かつ、凍結（露付）範囲まで温度が降下しないように、予め実験やシミュレーション等により得られた通電率ｒｘ１にして加熱した場合のヒータ取付部の温度を示している。このように、回転仕切ヒータ３８、または、冷蔵室底部ヒータ４３の通電率が一定の場合には、曲線Ｕで前述した温度差と同様な温度差が生じてしまう。すなわち、電動ダンパ１４の開閉状態によって、部分曲線Ｕ１、Ｕ２と同様な温度差が生じる部分曲線Ｓ１、Ｓ２のような温度差が生じてしまう。
【００８４】
したがって、その温度はｋ２１からｋ２４と大きな変動幅となってしまう。
【００８５】
そのため、その高温部においては、回転仕切ヒータ３８の取付部、または、冷蔵室底部ヒータ４３の取付部の温度が、その冷蔵庫の熱負荷となってしまう恐れが生じる。
【００８６】
したがって、本実施形態においては、後述する実線の曲線Ｗに示すように、回転仕切ヒータ３８、または、冷蔵室底部ヒータ４３の通電率を、ヒータ取付部の温度に直接的に影響を及ぼす電動ダンパの開閉状態に基づき可変制御する。これによって、回転仕切ヒータ３８の取付部、または、冷蔵室底部ヒータ４３の取付部において、露付や凍結をしない温度に保持すると共に、その温度変動幅を小さくするものである。
【００８７】
以下、実線の曲線Ｗについて説明する。
【００８８】
先ず、図のＢ区間（ｔ１１からｔ１２の間、または、ｔ１３からｔ１４の間）においては、電動ダンパ１４が閉じているために、回転仕切部６、または、冷蔵室底部に冷風が吹き付けることが無いので、その部分の露付（凍結）がない。そのため、小さい通電率ｒ１２、例えば、４０％程度にして、部分曲線Ｗ１に示すように温度上昇を抑えるようにする。
【００８９】
そして、Ｃ区間（ｔ１２からｔ１３の間、または、ｔ１４からｔ１５の間）においては、電動ダンパ１４が開いているために、回転仕切部６、または、冷蔵室底部に冷風が吹き付けるために、温度降下が発生するので、そこでの温度降下を防止できる加熱量を与える。すなわち、冷熱負荷による温度降下を抑えるように、大きな通電率ｒ１３、例えば、８０％程度にして、部分曲線Ｗ２に示すように温度降下を抑えるようにする。
【００９０】
なお、曲線Ｗの部分曲線Ｗ１、Ｗ２の温度変化の程度は、その冷蔵庫についての実験やシミュレーション等により、回転仕切ヒータ３８の取付部、または、冷蔵室底部ヒータ４３の通電率ｒ１２、ｒ１３を適切に選定する。これにより、この曲線Ｗ全体の温度変動幅（ｋ２３〜ｋ２２）を極力小さくできる。
【００９１】
以上のように構成されているので、本実施形態によれば、回転仕切ヒータ３８、または、冷蔵室底部ヒータ４３の取付部の温度に直接的に影響を及ぼす電動ダンパの開閉状態に基づき、回転仕切ヒータ３８、または、冷蔵室底部ヒータ４３の通電率を可変にすることにより、回転仕切ヒータ３８、または、冷蔵室底部ヒータ４３の取付部の温度を一定の狭い範囲内の収めて、霜付（露付）、または、凍結防止を図れる冷蔵庫を提供できる。
【００９２】
また、電動ダンパの開閉状態による、回転仕切部６、または、冷蔵室底部への冷却の強さの程度に応じて、加熱ヒータの通電率を可変にすることにより、加熱ヒータ取付部の温度変動幅を小さくすることができるので、庫内への熱負荷侵入の少ない、省エネルギーに有利な冷蔵庫を提供することができる。
【００９３】
また、冷却に直接的に影響を及ぼす電動ダンパの開閉状態によって、加熱ヒータの通電率を制御するものであるから、従来のような温度センサのみによって制御する方式よりも、きめの細かい、かつ、信頼性の向上する制御方式となるので、霜付（露付）防止、または、凍結防止や省エネルギーの上で信頼性の高い冷蔵庫を提供することができる。
【００９４】
上記の説明では、電動ダンパ１４が「開」のときに、回転仕切ヒータ３８、または、冷蔵室底部ヒータ４３の通電率を「閉」の場合よりも増加させることを説明した。これは、電動ダンパ１４が「開」のときには、より多くの冷気が冷蔵室２に送られて、それらの加熱ヒータの取付部の近傍の温度が低下するためである。
【００９５】
逆に、冷凍室３には、電動ダンパ１４が「閉」のときに、より多くの冷気が送られ、冷凍室３での温度が低下する。そのため、電動ダンパ１４が「閉」のときには、給水パイプヒータ４５と野菜室ヒータ４６の通電率の上げるようにすればよい。原理については、上記の説明と同様である。
【００９６】
〔実施形態２〕
以下、本発明に係る第二の実施形態を、図１２および図１３を用いて説明する。
図１２は、本発明の第二の実施形態に係る加熱ヒータの制御処理を説明するためのフローチャートである。
図１３は、本発明の第二の実施形態に係る電動ダンパ１４と加熱ヒータの状態を説明するタイミングチャートである。
【００９７】
第一の実施形態では、電動ダンパ１４の開閉の状態に応じて、回転仕切ヒータ３８、または、冷蔵室底部ヒータ４３の通電率を可変にする例を示した。
【００９８】
本実施形態では、電動ダンパ１４の開閉の状態と、さらに、送風機の運転状態に応じて、給水パイプヒータ４５と野菜室ヒータ４６の通電率を可変にする例を説明する。なお、冷蔵庫自体の構成としては、第一の実施形態の図１ないし図３で示したものと同様である。
【００９９】
図１２は、本実施形態における、冷凍室３に位置する自動製氷機の給水パイプヒータ４５、または、冷凍室温度により影響を受ける野菜室ヒータ４６と電動ダンパや送風機２９との関係によって、ヒータ制御動作をおこなうときのフローチャートを示したものである。
【０１００】
先ず、センサ検出温度がヒータ作動温度か否かを判定し（Ｓ０１）、作動温度外ならば加熱ヒータ出力をＯＦＦにする（Ｓ０２）。作動温度内ならば加熱ヒータをＯＮにして通電させ（Ｓ０３）、電動ダンパ１４が「開」か「閉」かを判定する（Ｓ０４）。電動ダンパ１４が「開」ならばヒータ通電したまま、Ｓ０１に戻る。ダンパが「閉」ならば、送風機が運転しているか否かを判定し（Ｓ０６）、送風機が「運転中」ならばヒータ通電率を増加させ（Ｓ０４）、送風機が「停止中」ならば、ヒータ通電率を少ない方向に減少させる（Ｓ０５）。
【０１０１】
図１３は、本発明の第二の実施形態における、電動ダンパ１４と加熱ヒータの状態を示しており、給水パイプヒータ４５、または、野菜室ヒータ４６の通電率の対応関係を示している。
【０１０２】
図において、パルス上線分Ｍは、送風機２９の運転停止状態を、縦軸の運転（ＯＮ）、停止（ＯＦＦ）と横軸の経過時間で表示している。パルス上線分Ｎは、電動ダンパ１４の開閉状態を、縦軸の開、閉と横軸の経過時間で表示している。
【０１０３】
また、点線の直線Ｏ、実線のパルス上線分Ｐは、給水パイプヒータ４５、または、野菜室ヒータ４６の通電率を縦軸に、経過時間を横軸に表示しており、点線の直線Ｏは比較例としての従来例のものであり、実線のパルス上線分Ｐは、本実施形態におけるものである。すなわち、従来例では、通電率は、一定のｒｘ１であったが、本実施形態では、ｒ１４、ｒ１３、ｒ１２と三段階で変化する。
【０１０４】
そして、曲線Ｘ、Ｙ、Ｚは、給水パイプヒータ４５、または、野菜室ヒータ４６の温度を縦軸に、経過時間を横軸に表示している。
【０１０５】
先ず、二点鎖線の曲線Ｘについて説明する。この曲線Ｘは、前述した給水パイプヒータ４５、または、野菜室ヒータ４６の通電率を零とした場合のヒータ取付部温度を表示している。
【０１０６】
図に示す経過時間ｔ１１時点で、パルス上線分Ｍで示すように送風機２９が停止（ＯＦＦ）をすると、給水パイプヒータ４５、または、野菜室ヒータ４６の取付部に冷気を吹き付けていた送風が停止するために、その部分の温度は上昇し始める。そして、送風機の停止（ＯＦＦ）期間中は、例えば、図のｔ１１からｔ１２の間（図のＢ区間）は、給水パイプヒータ４５、または、野菜室ヒータ４６の取付部の温度は、部分曲線Ｘ１に示すように、マイナスｋ１３からマイナスｋ１１（ｋ１１＜ｋ１３）まで上昇する。
【０１０７】
そして、経過時間がｔ１２になるとパルス上線分Ｍで示すように送風機２９が運転（ＯＮ）し、同時に、パルス上線分Ｎで示すように電動ダンパ１４が「開」となるので、給水パイプヒータ４５、または、野菜室ヒータ４６の取付部に送風機２９により送風された冷風があたるので、その部分の温度が下がり始める。そして、送風機２９が運転（ＯＮ）状態で、電動ダンパ１４が開状態の間（図のＣ区間）は、給水パイプヒータ４５、または、野菜室ヒータ４６の取付部の温度は、部分曲線Ｘ２に示すように、マイナスｋ１１からマイナスｋ１２（ｋ１１＜ｋ１２）まで降下する。
【０１０８】
そして、経過時間がｔ１３になると送風機２９が運転（ＯＮ）状態のままで、パルス上線分Ｎで示すように電動ダンパ１４が「閉」となるので、給水パイプヒータ４５、または、野菜室ヒータ４６の取付部にあたる冷風量が前述したＣ区間より多くなる。したがって、送風機２９が運転（ＯＮ）状態で、電動ダンパ１４が閉状態の間（図のＤ区間）は、給水パイプヒータ４５、または、野菜室ヒータ４６の取付部の温度は、部分曲線Ｘ３に示すように、前述した部分曲線Ｘ２より降下度が大きくなり、温度がマイナスｋ１２からマイナスｋ１３（ｋ１２＜ｋ１３）まで降下する。
【０１０９】
そして、経過時間がｔ１４になると曲線Ｍで示すように送風機２９が停止（ＯＦＦ）するので、前述した部分曲線Ｘ１に示すように上昇し、以後上述した動作曲線を繰り返す。
【０１１０】
すなわち、給水パイプヒータ４５、または、野菜室ヒータ４６の取付部は、冷却の要因である送風機２９の運転停止状態によりその温度が変化し、例えば、部分曲線Ｘ１に示すような温度差（マイナスｋ１１からマイナスｋ１３までの温度差）が生じ、また、他の冷却の要因の一つである電動ダンパ１４の開閉状態によりその温度が変化し、例えば、部分曲線Ｘ３にしめすような温度差（マイナスｋ１２からマイナスｋ１３までの温度差）が生じる。
【０１１１】
そして、上記のマイナスｋ１１からマイナスｋ１３までの温度は、例えば、氷点温度以下のマイナス１０℃〜マイナス４０℃程度の冷凍温度であるため、給水パイプヒータ４５、または、野菜室ヒータ４６の取付部の通電率を零とすると上述した曲線Ｘの温度変化がもたらされて、給水パイプ３６や野菜室４が凍結する恐れが生じる。
【０１１２】
次に、点線の曲線Ｙについて説明する。この曲線Ｙは、給水パイプヒータ４５、または、野菜室ヒータ４６の取付部の凍結を防止するために、従来例として表示したものである。すなわち、この曲線Ｙは、給水パイプヒータ４５、または、野菜室ヒータ４６の通電率を、ほぼ一定にして、例えば、図の点線の直線Ｏに示すようにｒｘ１の通電率にして、かつ、水の凍結範囲まで温度が降下しないように、予め実験やシミュレーション等により得られた通電率ｒｘ１にして加熱した場合の給水パイプヒータ４５、または、野菜室ヒータ４６の取付部の温度を示している。
【０１１３】
ここで、この曲線Ｙで示される温度は、点線の曲線Ｙの最低温度点、例えば、ｋ２１においても、水の凍結しない温度となるように、給水パイプヒータ４５、または、野菜室ヒータ４６により加熱した場合の各々のヒータ取付部の温度である。
【０１１４】
しかしながら、従来のヒータの発熱量は、ほぼ一定であり、例えば、点線の直線Ｏに示すような一定の通電率または一定の定格容量の加熱器であったため、曲線Ｘで示される温度差と同様な温度差が生じてしまう。
【０１１５】
すなわち、冷却の要因の一つである送風機２９の運転停止状態によって、部分曲線Ｘ１と同様な温度差が生じる部分曲線Ｙ１により示される温度になり、また、他の冷却の要因の一つである電動ダンパ１４の開閉状態によって、部分曲線Ｘ２、Ｘ３と同様な温度差が生じる部分曲線Ｙ２、Ｙ３により示される温度差が生じてしまう。
【０１１６】
したがって、従来例における温度差は、プラスｋ２１からプラスｋ２４と大きな変動幅となってしまう。
【０１１７】
そのため、その高温部においては、給水パイプヒータ４５、または、野菜室ヒータ４６の取付部の温度が、その冷蔵庫の熱負荷となってしまう恐れが生じる。
【０１１８】
したがって、本実施形態においては、後述する実線の曲線Ｚに示すように、給水パイプヒータ４５、または、野菜室ヒータ４６の通電率を、ヒータ取付部の温度に直接的に影響を及ぼす冷却の要因である送風機と電動ダンパの開閉状態によって可変制御することによって、給水パイプヒータ４５、または、野菜室ヒータ４６の取付部を凍結しない温度に保持すると共に、その温度変動幅を小さくするものである。
【０１１９】
以下、実線の曲線Ｚについて説明する。
【０１２０】
先ず、図のＢ区間（ｔ１１からｔ１２の間またはｔ１４からｔ１５の間）においては、送風機２９が停止しているために、給水パイプヒータ４５、または、野菜室ヒータ４６の取付部に冷風が吹き付けることが無いので、冷凍温度室内にあってもこれらの部分が凍結しないで、かつ、小さい通電率ｒ１２、例えば、２０％程度にして、部分曲線Ｚ１に示すように温度上昇を抑えるようにする。
【０１２１】
そして、Ｃ区間（ｔ１２からｔ１３の間またはｔ１５からｔ１６の間）においては、送風機２９が運転しているために、給水パイプヒータ４５、または、野菜室ヒータ４６の取付部に冷風が吹き付けるために、冷凍室２に在ることによる温度降下に加えて、その冷風による温度降下が発生するので、そのときの温度降下を防止できる加熱量、すなわち、冷熱負荷にほぼ見合う程度の加熱量を各々のヒータに加え、しかも、あまり大きくない通電率ｒ１３、例えば、５０％程度にして、部分曲線Ｚ２に示すように、その温度変化を抑えるようにする。
【０１２２】
そして、Ｄ区間（ｔ１３からｔ１４の間またはｔ１６からｔ１７の間）においては、送風機２９が運転しており、かつ、電動ダンパ１４が「閉」状態であるために、給水パイプヒータ４５、または、野菜室ヒータ４６の取付部に吹き付ける冷風量が前述したＣ区間より多くなり、ヒータ取付部がより冷却されるので、そのときの大きな冷熱負荷による温度降下を抑えるように、大きな通電率ｒ１４、例えば、８０％程度にして、部分曲線Ｗ３に示すように温度降下を抑えるようにする。
【０１２３】
なお、上記部分曲線Ｚ１やＺ２、Ｚ３の温度変化の程度は、その冷蔵庫についての実験やシミュレーション等により、給水パイプヒータ４５、または、野菜室ヒータ４６の取付部の通電率ｒ１２、ｒ１３、ｒ１４を適切に選定する。これにより、この曲線Ｚ全体の温度変動幅（ｋ２２〜ｋ２１）を極力小さいものにすることができる。
【０１２４】
以上のように構成されているので、本実施形態によれば、給水パイプヒータ４５、または、野菜室ヒータ４６の取付部の温度に直接的に影響を及ぼす冷却の要因である送風機の運転状態と電動ダンパの開閉状態によって、給水パイプヒータ４５、または、野菜室ヒータ４６の通電率を可変にすることにより、各々のヒータ取付部の温度を霜付（露付）、または、凍結防止を図れる冷蔵庫を提供することができる。
【０１２５】
また、冷却の要因である電動ダンパの開閉状態と送風機の運転状態による、給水パイプ３６、または、野菜室４への冷却の強さに応じて、各々の加熱ヒータの通電率を可変にすることにより、それらの加熱ヒータの取付部の温度変動幅を小さくすることができるので、庫内への熱負荷侵入の少ない、省エネルギーに有利な冷蔵庫を提供することができる。
【０１２６】
また、直接的に影響を及ぼす冷却の要因である電動ダンパの開閉状態と送風機の運転状態によって、加熱ヒータの通電率を制御するものであるから、従来のような温度センサのみによって制御する方式よりも、きめの細かい、かつ、信頼性の向上する制御方式となるので、霜付（露付）防止、または、凍結防止や省エネルギーの上で信頼性の高い冷蔵庫を提供することができる。
【図面の簡単な説明】
【０１２７】
【図１】本発明の第一の実施形態に係る冷蔵庫の正面図である。
【図２】図１の冷蔵庫の正面図から扉を除いた図である。
【図３】図１の縦断面図である。
【図４】図１のＡ−Ａ断面図である。
【図５】図３の冷蔵室２の要部拡大説明図である。
【図６】自動アイスメーカ装置３２の給水パイプ３６を加熱する加熱ヒータを説明する図である。
【図７】野菜室４を加熱する加熱ヒータを説明する図である。
【図８】図７と異なる位置に設けられた野菜室を加熱する加熱ヒータを説明する図である。
【図９】ヒータ制御装置の機能を示すブロック図である。
【図１０】本発明の第一の実施形態に係る加熱ヒータの制御処理を説明するためのフローチャートである。
【図１１】本発明の第一の実施形態に係る電動ダンパ１４と加熱ヒータの状態を説明するタイミングチャートである。
【図１２】本発明の第二の実施形態に係る加熱ヒータの制御処理を説明するためのフローチャートである。
【図１３】本発明の第二の実施形態に係る電動ダンパ１４と加熱ヒータの状態を説明するタイミングチャートである。
【符号の説明】
【０１２８】
１…冷蔵庫本体    １ａ…外箱    １ｂ…内箱    １ｃ…発泡断熱材
２…冷蔵室
３…冷凍室    ３ａ…製氷室    ３ｂ…急速冷凍室    ３ｃ…第二の冷凍室
４…野菜室
５…冷蔵室扉  ５ａ…左側扉    ５ｂ…右側扉
６…回転仕切
７…製氷室扉
８…急速冷凍室扉
９…第二の冷凍室扉
１０…野菜室扉
１１…仕切断熱
１２…供給ダクト
１３…戻り通路
１４…電動ダンパー
１５…仕切板
１６…冷気通路
１７…吹出口
１８…棚板
１９…はり状仕切
２０…第二のはり状仕切
２１…卵収納容器    ２１ａ…卵
２２…第二の仕切壁
２３…冷気吹出口
２４…冷気戻しダクト
２５…冷却器室
２６…区画板    ２６ａ…冷気吐出口
２７…圧縮機
２８…冷却器
２９…冷気強制循環ファン（送風機）
３０…除霜ヒータ
３１…冷却器室区画板
３２…自動アイスメーカ装置（自動製氷装置）
３３…自動アイスメーカユニット    ３３ａ…製氷皿    ３３ｂ…駆動モータ
３４…引出し容器
３５…給水タンク
３６…給水パイプ
３７…仕切断熱
３８…加熱ヒータ（回転仕切ヒータ）
３９…ヒンジ
４０…シール用ガスケット（４０ａ，４０ｂ）
４１…冷凍室冷気戻りダクト
４３…加熱ヒータ（冷蔵室底部ヒータ）
４５…加熱ヒータ（給水パイプヒータ）
４６…加熱ヒータ（野菜室ヒータ）
６１…外気温度検知センサ
６２…冷蔵室温度検知センサ
６４…冷凍室温度検知センサ
６７…野菜室温度検知センサ。
【図１】
2008304165.tif 000003
【図２】
2008304165.tif 000004
【図３】
2008304165.tif 000005
【図４】
2008304165.tif 000006
【図５】
2008304165.tif 000007
【図６】
2008304165.tif 000008
【図７】
2008304165.tif 000009
【図８】
2008304165.tif 000010
【図９】
2008304165.tif 000011
【図１０】
2008304165.tif 000012
【図１１】
2008304165.tif 000013
【図１２】
2008304165.tif 000014
【図１３】
2008304165.tif 000015